(57)【特許請求の範囲】
【請求項１】
机又は袖キャビネットの天板の縁部に円弧状の凹陥部を形成するとともに、ワゴンに前記凹陥部の曲率半径と一致又は若干小さい曲率半径を有する円形天板を設けるとともに、下端に複数のキャスターを備えて移動可能となし、前記机又は袖キャビネットの天板とワゴンの円形天板とを略同一高さに設定し、前記円形天板の縁部を前記天板の凹陥部に係合させた状態で、ワゴンを回転可能となしたことを特徴とする組合せ収納家具。
【請求項２】
前記ワゴンは、下面に前記キャスターを設けたベース板と前記円形天板との間に全周に開放した物品載置部を設けてなる請求項１記載の組合せ収納家具。
【請求項３】
前記円形天板と、前記ベース板との間に中間棚板を配設し、ベース板と中間棚板間及び円形天板と中間棚板間を、それぞれ板材を十文字に配した支柱部材で連結して前記物品載置部を形成してなる請求項２記載の組合せ収納家具。
【請求項４】
前記机又は袖キャビネットの本体部より前記天板の凹陥部を形成した部分を突出させるとともに、その下方に前面開放した収納部を形成してなる請求項１〜３何れかに記載の組合せ収納家具。
【発明の詳細な説明】
【０００１】
【発明の属する技術分野】
本発明は、組合せ収納家具に係わり、更に詳しくは机又は袖キャビネットとワゴンを組合せて使用する組合せ収納家具に関するものである。
【０００２】
【従来の技術】
従来から、机と、下面に複数のキャスターを設けて移動可能となした袖キャビネットとを組合せて使用することは公知であるが、机又は袖キャビネットと移動可能なワゴンとを組合せた家具は見当たらない。
【０００３】
特に、全周に開放した物品載置部を有するワゴンを用いて組合せ収納家具を構成することは、例がない。
【０００４】
【発明が解決しようとする課題】
本発明が前述の状況に鑑み、解決しようとするところは、机又は袖キャビネットと、移動可能なワゴン、特に全周に開放した物品載置部を有するワゴンとを組合せて構成した組合せ収納家具を提供する点にある。
【０００５】
【課題を解決するための手段】
本発明は、前述の課題解決のために、机又は袖キャビネットの天板の縁部に円弧状の凹陥部を形成するとともに、ワゴンに前記凹陥部の曲率半径と一致又は若干小さい曲率半径を有する円形天板を設けるとともに、下端に複数のキャスターを備えて移動可能となし、前記机又は袖キャビネットの天板とワゴンの円形天板とを略同一高さに設定し、前記円形天板の縁部を前記天板の凹陥部に係合させた状態で、ワゴンを回転可能となした組合せ収納家具を構成した。
【０００６】
また、前記ワゴンは、下面に前記キャスターを設けたベース板と前記円形天板との間に全周に開放した物品載置部を設けてなる構造のものである。
【０００７】
そして、前記円形天板と、前記ベース板との間に中間棚板を配設し、ベース板と中間棚板間及び円形天板と中間棚板間を、それぞれ板材を十文字に配した支柱部材で連結して前記物品載置部を形成してなることがより好ましい。
【０００８】
また、前記机又は袖キャビネットの本体部より前記天板の凹陥部を形成した部分を突出させるとともに、その下方に前面開放した収納部を形成してなる構造である。
【０００９】
【発明の実施の形態】
次に本発明の実施の形態を添付図面に基づき更に詳細に説明する。図１は本発明に係る組合せ収納家具の代表的実施形態を示し、図中符号１は机、２は袖キャビネット、３はワゴンをそれぞれ示している。
【００１０】
本実施形態では、袖キャビネット２とワゴン３とからなる組合せ収納家具を示し、その特徴とするところは、袖キャビネット２の天板４の縁部に円弧状の凹陥部５を形成するとともに、下端に複数のキャスター６，…を備えたワゴン３に前記凹陥部５の曲率半径と一致又は若干小さい曲率半径を有する円形天板７を設け、前記袖キャビネット２の天板４とワゴン３の円形天板７とを略同一高さに設定してなるものである。
【００１１】
更に詳しくは、前記袖キャビネット２は、図２に示すように、本体部８の上端に前記天板４を設け、該天板４の前部は本体部８よりも前方へ突出させ、その突出部の縁部に前記円弧状の凹陥部５を形成している。また、前記本体部８内には、前方へ開放した収納部９を設けている。尚、当該袖キャビネット２は、前記机１の側部に並べて設置するので、天板の高さは略一致させている。
【００１２】
また、前記ワゴン３は、前記袖キャビネット２の凹陥部５の曲率半径と一致又は若干小さい曲率半径を有する円形天板７と、下面に前記キャスター６，…を設けたベース板１０との間に、全周に開放した物品載置部１１を設けたものである。具体的には、前記円形天板７と、ベース板１０との間に中間棚板１２を配設し、ベース板１０と中間棚板１２間、円形天板７と中間棚板１２間を、それぞれ板材を十文字に配した支柱部材１３，１３で連結し、前述の物品載置部１１を構成している。ここで、前記ベース板１０と中間棚板１２は、前記円形天板７と平面視形状を同一にしている。
【００１３】
また、前記ベース板１０又は中間棚板１２の上面に、ケース入りのＣＤ（Compact Disc）やＤＶＤ（Digital Versatile Disk）等の扁平箱物、あるいは書籍等の物品を載置し、それを縦向きで整列したり、横向きで積み重ねたりするが、十文字の支柱部材１３は、物品の姿勢を維持するための背板あるいは仕切板の作用をする。また、十文字の支柱部材１３によって、物品載置部１１が４つの異なる方向に開放した空間に区画されているので、その区画を利用して異なる種類の物品を分別収納することができる。
【００１４】
そして、図１及び図４に示すように、前記袖キャビネット２の天板４の凹陥部５に、前記ワゴン３の円形天板７の縁部を係合させて組合せると、前記天板４と円形天板７とが隙間なく連続し、一体の天板構造体となる。そして、図１において机１に着座した使用者が、前記ワゴン３の円形天板７の端部を持って手前、又はその逆方向に移動させると、該ワゴン３は凹陥部５の両側部の膨出部１４，１４で横振れを規制されながら定位置で回転し、次々と物品載置部１１の異なった部分が手前に現れるので、椅子に座ったままで所望の物品を物品載置部１１から取り出し、また収納することができる。
【００１５】
勿論、前記ワゴン３は、袖キャビネット２から離して単独で使用することも可能である。前記ワゴン３を単独で使用する場合には、ミーティング用の簡易テーブルとしての利用の外、植木鉢の載置台として、あるいは電話台として利用することができる。尚、本実施形態では、前記ベース板１０と中間棚板１２を、円形天板７と同形としたが、ワゴン３の回転の際に支障がなければどのような形状であっても良い。
【００１６】
また、前記ワゴン３を回転させる際に、円形天板７が袖キャビネット２の凹陥部５から離れないようにするために、図５に示すように、円形天板７の外周面と凹陥部５の内周面の何れか一方に磁性体１５を、他方に永久磁石１６をそれぞれ周面が面一となるように配することも好ましい。本実施形態の場合、前記円形天板７の外周面にスチール製又はステンレス製、あるいはフェライト製の帯状の磁性体１５を貼着するとともに、前記凹陥部５の内周面に複数の永久磁石１６，…を埋設している。尚、前記永久磁石１６，…を覆うように、凹陥部５の内周面の全長に渡って帯状の磁性体を配設することも好ましい。このように、磁性体１５と永久磁石１６との吸着によって、ワゴン３を回転する際にも、また静置している際にも、袖キャビネット２の凹陥部５から容易に離れることを規制できる。
【００１７】
本実施形態では、前記ワゴン３の円形天板７の縁部を摺接回転可能に係合する円弧状の凹陥部５を袖キャビネット２の天板４に設けたが、前記机１の天板に設けて、机１とワゴン３とを組合せて構成しても良い。
【００１８】
【発明の効果】
以上にしてなる請求項１に係る発明の組合せ収納家具は、机又は袖キャビネットの天板の縁部に円弧状の凹陥部を形成するとともに、ワゴンに前記凹陥部の曲率半径と一致又は若干小さい曲率半径を有する円形天板を設けるとともに、下端に複数のキャスターを備えて移動可能となし、前記机又は袖キャビネットの天板とワゴンの円形天板とを略同一高さに設定し、前記円形天板の縁部を前記天板の凹陥部に係合させた状態で、ワゴンを回転可能となしたので、天板と円形天板とが隙間なく連続して一体の天板構造体となって、天板を広く使用でき、天板の凹陥部にワゴンの円形天板の縁部が係合した状態では、机又は袖キャビネットに対するワゴンの側方移動を制限することができる。更に、ワゴンの円形天板の縁部を前記机又は袖キャビネットの天板の凹陥部に係合させた状態で、ワゴンを回転することができ、従来存在しない全く新しいタイプの家具を提供することができる。
【００１９】
請求項２によれば、天板の凹陥部にワゴンの円形天板の縁部を係合させて組合せた状態で、ワゴンの円形天板の端部を持って手前、又はその逆方向に移動させると、該ワゴンは凹陥部の両側部の膨出部で横振れを規制されながら定位置で回転し、次々と物品載置部の異なった部分を手前に出現させることができる。
【００２０】
請求項３によれば、ベース板又は中間棚板の上面に、ケース入りのＣＤやＤＶＤ等の扁平箱物、あるいは書籍等の物品を載置し、それを縦向きで整列したり、横向きで積み重ねたりする場合、十文字の支柱部材を物品の姿勢を維持するための背板あるいは仕切板として利用でき、また十文字の支柱部材によって、物品載置部を４つの異なる方向に開放した空間に区画されるので、その区画を利用して異なる種類の物品を分別収納することができる。
【００２１】
請求項４によれば、天板の凹陥部にワゴンの円形天板の縁部を係合させて組合せた状態では、机又は袖キャビネットの本体部の収納部は、前記ワゴンによってその前面開放部分が概略覆われて、収納部に収納した物品を隠すことができ、また収納部に対して物品を出し入れするときに、ワゴンを移動させて収納部を簡単に開放することができる。
【図面の簡単な説明】
【図１】  本発明に係る組合せ収納家具の代表的実施形態を示す全体斜視図である。
【図２】  袖キャビネットを示し、（ａ）は正面図、（ｂ）は側面図、（ｃ）は斜視図をそれぞれ示している。
【図３】  ワゴンを示し、（ａ）は正面図、（ｂ）は斜視図をそれぞれ示している。
【図４】  袖キャビネットの天板の凹陥部にワゴンの円形天板の縁部を係合して組合せた状態を示す斜視図である。
【図５】  袖キャビネットの天板とワゴンの円形天板とを磁性体と永久磁石によって吸着するようにした実施形態を示す分離状態の斜視図である。
【符号の説明】
１  机
２  袖キャビネット
３  ワゴン
４  天板
５  凹陥部
６  キャスター
７  円形天板
８  本体部
９  収納部
１０  ベース板
１１  物品載置部
１２  中間棚板
１３  支柱部材
１４  膨出部
１５  磁性体
１６  永久磁石
【図１】
0003852759.tif 000002
【図２】
0003852759.tif 000003
【図３】
0003852759.tif 000004
【図４】
0003852759.tif 000005
【図５】
0003852759.tif 000006